(57)【要約】【課題】  カット宝石のクラウン側からの入射光だけでなく、パビリオン側からの入射光をも十分に利用してカット宝石を強く輝かせることができる宝石保持具を提供すること。【解決手段】  宝石保持具１０は、細線体からなり、カット宝石１のガードル径１ｄより小径な環状部材の上方に複数の爪部１４を形成してあり、環状部材１２がカット宝石１のパビリオン１ｂに当接すると共に爪部１４を折り曲げてカット宝石１のクラウン１ａを押圧し、カット宝石１を保持する。【選択図】  図１
2005261862.tif 000002
【特許請求の範囲】
【請求項１】
カット宝石のガードル径より小なる内径を有する環状部材の上方に、複数の爪部を設けた細線体からなる宝石保持具であって、前記環状部材がカット宝石のパビリオン周面に当接すると共に前記爪部がカット宝石のクラウン面を押圧して、カット宝石を保持することを特徴とする宝石保持具。
【請求項２】
前記細線体の線径が、前記カット宝石のガードル径の５％〜１０％であることを特徴とする請求項１記載の宝石保持具。
【請求項３】
前記爪部が、根元下方向で二分して、全体として略くの字状を形成していることを特徴とする請求項１乃至２記載の宝石保持具。
【請求項４】
前記環状部材は、多角形体に形成されると共に各辺が中心方向に湾曲し、前記爪部は該多角形体の角部上方に形成されていることを特徴とする請求項１乃至３記載の宝石保持具。
【請求項５】
前記環状部材は、複数の多角形体を結合して形成され、該結合体の中心部により前記カット宝石のキューレットがカバーされていることを特徴とする請求項１乃至３記載の宝石保持具。
【請求項６】
請求項１乃至５のいずれかに記載された宝石保持具と、該宝石保持具に挟持されたカット宝石と、を具備し、ペンダント、指輪、イアリング、ブローチからなる群より選ばれることを特徴とする宝飾品。
【発明の詳細な説明】
【技術分野】
【０００１】
本発明は、ダイアモンドなどのカット宝石の宝石保持具及びそれを用いた宝飾品に関する。
【背景技術】
【０００２】
従来からダイアモンドなどのカット宝石の保持具には種々のものが存在したが、カット宝石を指輪などに保持する場合に、最も一般的な方法は図５に示されるようなものである。
【０００３】
すなわち、カット宝石は貴重なものであり、また、通常身につけて使用されるという宝飾品本来の性質ゆえに、使用中の脱落がなきよう宝飾品本体に確実に保持される必要がある。したがって、指輪本体５２の上方に形成される複数の太径からなる爪部５４が、ダイアモンド１のパビリオン１ｂを下方から全体的に支持し、かつ内側面に切り込み（図示せず。）を形成しつつ、爪部５４に先端が折り曲げられてクラウン１ａを押圧することで、ダイアモンド１は指輪本体５２で強固に保持される。一方で、この状態では、ダイアモンド１のパビリオン１ｂは、指輪５２の複数の爪部５４によってかなりの部分が覆われている。
【発明の開示】
【発明が解決しようとする課題】
【０００４】
図５に示される方法によってカット宝石を保持する場合、ダイアモンド１を確実に保持することが主眼とされ、ダイアモンド１のクラウン１ａ側からの入射光Ｘのみを想定している。このため、パビリオン１ｂ側からの入射光Ｙ（ここでは図示せず。）は爪部５４や指輪本体５２で遮られてしまい、ダイアモンド１を十分に輝かせることができない。かかる事情は、従来からある他の指輪や、あるいは他のペンダントなどの宝飾品においても同様であった。
【０００５】
本発明はかかる点に鑑みてなされたものであり、細線体からなる環状部材の爪部はカット宝石のパビリオンをほとんど遮らないため、そのクラウン側からの入射光だけでなく、パビリオン側からの入射光をも十分に利用して、カット宝石を強く輝かせることができる宝石保持具及びそれを用いたユニークなデザインの宝飾品を提供することを目的とする。  
【課題を解決するための手段】
【０００６】
前記課題を解決するために、請求項１に記載された発明は、カット宝石のガードル径より小なる内径を有する環状部材の上方に、複数の爪部を設けた細線体からなる宝石保持具であって、前記環状部材がカット宝石のパビリオン周面に当接すると共に前記爪部がカット宝石のクラウン面を押圧して、カット宝石を保持する宝石保持具であることを特徴とする。請求項２に記載された発明は、請求項１記載の宝石保持具において、前記細線体の線径が、前記カット宝石のガードル径の５％〜１０％であることを特徴とする。
【０００７】
本発明においては、請求項１乃至２記載の宝石保持具において、前記爪部が、根元方向で二分して、全体として略くの字状を形成していることが望ましい。また、請求項１乃至３記載の宝石保持具において、前記環状部材は、多角形体に形成されると共に各辺が中心方向に湾曲し、前記爪部は該多角形体の角部上方に形成されていることが望ましい。請求項１乃至３記載の宝石保持具において、前記環状部材は、複数の多角形体を結合して形成され、該結合体の中心部により前記カット宝石のキューレットがカバーされていることが望ましい。
【０００８】
さらに、本発明は、請求項１乃至５のいずれかに記載された宝石保持具と、該宝石保持具に挟持されたカット宝石と、を具備し、ペンダント、指輪、イアリング、ブローチからなる群より選ばれる宝飾品であることを特徴とする。
【発明の効果】
【０００９】
本発明による宝石保持具及びそれを用いた宝飾品によれば、クラウン側からの入射光だけでなく、パビリオン側からの入射光をも十分に利用して強力にカット宝石を輝かすことができ、かつユニークなデザインの宝飾品を提供できる。
【発明の実施の形態】
【００１０】
以下、本発明の実施の形態について、添付図面を参照して詳細に説明する。なお、以下の実施形態では、説明の便宜上、カット宝石がダイアモンドであり、宝飾品がペンダントであるものとする。図１は、本発明の実施の形態１に係る第１の宝石保持具１０を示すもので、（ａ）はその側面図、（ｂ）はその底面図である。また、図２は、第１の宝石保持具１０を取り付けたペンダント２０を示すもので、（ａ）はその側面図、（ｂ）は、実際に使用した状態を示す図である。
【００１１】
宝石保持具１０は、ダイアモンド１のパビリオン１ｂの周面に当接する細線体の環状部材１２から主に構成される。環状部材１２は、例えば、金、プラチナ、シルバーなどの貴金属インゴットを線状に加工した後、所望の形状に折り曲げて製造する、あるいは宝飾品の一般的加工方法であるロストワックスキャスティング法により一体的に製造することもできる。  
【００１２】
環状部材１２の内径Ａは、ダイアモンド１のガードル１ｄにおける外径Ｂより少なくとも小径であり、ダイアモンド１をキューレット１Ｃ側より挿入すると、環状部材１２はパビリオン１ｂの中間部分に係止される。環状部材１２の内径Ａをより大きくする場合には、ガードル１ｄにより近い位置に係止され、小さくする場合には、キューレット１ｃに近い位置に係止される。すなわち、宝石保持具１０は、ダイアモンド１のサイズに特に限定されることがない、極めて適用範囲の広いものとなる。
【００１３】
ただし、環状部材１２の内径Ａを小さくし、ガードル１ｄに近い位置で係止される場合には、爪部１４は必然的に短くなり、逆の場合には、爪部１４が必然的に長くなることより、爪部１４の強度を考慮すると、できる限り爪部１４は短いことが好ましく、環状部材１２を、ダイアモンド１のパビリオン１ｂにおける少なくとも上方２分の１以上の位置に係止させることが好ましい。
【００１４】
環状部材１２における細線体の線径は、ダイアモンド１のガードル径１ｄの５％〜１０％であることが望ましい。例えば、０．５ＣＴのダイアモンド１においてガードル径１ｄは通常５ｍｍ前後であるから、環状部材１２の線径をおよそ０．２５ｍｍ〜０．５ｍｍの範囲に形成することが好ましく、これによりパビリオン１ｂから入射する光を遮ることを少なくすることができる。
【００１５】
環状部材１２は、全体として６角形状を有し、各角部上方には６つの爪部１４ｂが形成されている。もちろん、環状部材１２の多角形状に特に限定はなく、６角形状ではなく他の多角形状あるいは略円形状であってもパビリオン１ｂに全体的に当接するものなら差し支えない。爪部１４ｂの数も特に６つに限定されるわけではなく、ダイアモンド１を十分に保持できる強度を考慮して決定すれば良い、例えば、より大きなダイアモンド１ではより多くの爪部１４ｂを形成することが好ましいのはもちろんである。
【００１６】
爪部１４は、根元が下方向に二分することで、全体として略くの字状を形成している。これにより、爪部１４の先端が折り曲げられ、ダイアモンド１のクラウン１ａを押圧し、爪部１４に相当の負荷がかかる場合にも、根元の実質的な線径の拡大により細線体が強化され、ダイアモンド１を十分に支えることができる。
【００１７】
宝石保持具１０は、ダイアモンド１のキューレット１Ｃ側より環状部材１２を挿入し、パビリオン１ｂに当接させた状態において、ペンチなどの宝飾品加工用工具により爪部１４の先端を折り曲げ、クラウン１ａを上方から押圧する。すなわち、ダイアモンド１は環状部材１２と爪部１４によって上下方向から挟まれる状態となり、宝石保持具１０に確実に保持される。
【００１８】
なお、宝石保持具１０においては、環状部材１２の多角形の各辺部１６が内側に湾曲することが好ましい。すなわち、各爪部１４の間に湾曲形状を形成することで、環状部材１２はより弾力性を有し、若干押し広げられた状態でダイアモンド１のパビリオン１ｂに当接させることができる。したがって、爪部１４を折り曲げてクラウン１ａを押圧した状態では、各辺部１６はパビリオン２２の周面をやや締め付けるような状態となり、ダイアモンド１をより強固に挟むことが可能となる。
【００１９】
このような宝石保持具１０には、輪環１５が取り付けられて、例えば、図２に示すような方法で、ペンダント２０に取り付けられる。ペンダント２０は台座２１を有し、必要に応じて、その中央には凹部２４（穴でも良い。）が形成される。台座２１の上部には、宝石保持具１０やチェーン２５を取り付けるための吊り下げ部２２が設けられている。
【００２０】
吊り下げ部２２の先端には、宝石保持具１０に取り付けられた輪環１５を挿通するための穴２２ｂが形成され、吊り下げ部２２の根元には、チェーン２５を挿通するための穴２２ａが形成されている。
【００２１】
このようなペンダント２０においては、宝石保持具１０に取り付けられたダイアモンド１は、前後左右に自由に揺動する。さらに、宝石保持具１０は、ダイアモンド１のパビリオン１ｂを覆う部分が少なく、パビリオン１ｂの露出面積が大きくなる。このことで、ダイアモンド１には、クラウン１ａ側からだけでなく、パビリオン１ｂ側からの外光がさまざまな角度で十分に入射し、強い輝きを発揮する。
【００２２】
また、ペンダント２０においては、衣服や人肌と直接接触するのは台座２１の裏面である。したがって、宝石保持具１０においては、ダイアモンド１の鋭角なキューレット１Ｃが露出しているが、直接衣服や人肌に当たることはほとんどなく、使用中に衣服や人肌を傷つけない。
【００２３】
なお、宝石保持具１０を取り付けるペンダント２０の形状に特に制限はない。例えば、本実施例では、ペンダント２０とチェーン２５が別体である場合について説明しているが、台座１１とチェーン２５とが一体のペンダントであっても差し支えない。
【００２４】
（実施の形態２）
図３は、本発明の実施の形態２に係る宝石保持具３０を示す図であり、（ａ）はその側面図であり、（ｂ）はその底面図である。なお、本実施の形態において、ペンダント２０の構成、宝石保持具３０のペンダント２０への取り付け方法は、実施の形態１と同様であるので、ここでは説明を省略する。
【００２５】
宝石保持具３０は、ダイアモンド１のパビリオン１ｂの周面に当接する複数の多角形体、例えば、略逆三角形状部材３２の結合体から構成される。略逆三角形状部材３２の結合体に使用する素材やその製造方法については実施の形態１と同様である。
【００２６】
略逆三角形状部材３２の結合体は、全体の内径Ａが、ダイアモンド１のガードル１ｄ部分の外径Ｂより小径なもので、ダイアモンド１をキューレット１Ｃ側より挿入すると、略逆三角形状部材３２の結合体はパビリオン１ｂの全体的にカバーする状態となる。
【００２７】
略逆三角形状部材３２は、６つの結合体を構成し、各辺部３６の中央には６つの爪部３２が形成され、爪部３２がクラウン１ａを上方から押圧する。よって、ダイアモンド１は略逆三角形状部材３２の結合体と爪部３４により挟持される。なお、略逆三角形状部材３２における結合体の数や爪部３４の数について特に限定がないことは、前記実施例と同様である。
【００２８】
さらに、宝石保持具３０においては、略逆三角形状部材３２の結合体の中心部３５に微細な穴部が形成され（図示せず。）、ダイアモンド１のキューレット１ｃ部分を下方からカバーする。したがって、ダイアモンド１を爪部３４と略逆三角形状部材３２により上下方向から確実に挟むことが可能となる。
【００２９】
宝石保持具３０によれば、前記実施例同様に、ダイアモンド１のパビリオン１ｂを覆う部分が少なく、パビリオン１ｂを露出する表面積が大きくなる。このことで、ダイアモンド１には、クラウン１ａ側からだけでなく、パビリオン１ｂ側からの外光が十分に入射し、強い輝きを発揮する。
【００３０】
（実施の形態３）
図４は、本発明の実施の形態３に係る第３の宝石保持具４０を示す図であり、（ａ）はその側面図であり、（ｂ）はその底面図である。図５は、第３の宝石保持具４０を取り付けたネックレス４８の使用状態を示す図である。
【００３１】
宝石保持具４０において使用される環状部材１２は、その形状、素材、製造方法等において第１の実施例と全く同様であり、ここでは詳細な説明を省略する。  
【００３２】
環状部材１２の爪部１４には、ダイアモンド１のパビリオン１ｂの稜線方向に沿って、略楕円状の輪環４７が取り付けられている。また、輪環４７は、前記までの実施例に比べてより大きさのあるもので、ダイアモンド１のキューレット１Ｃ近傍付近まで延設され、長手方向ではキューレット１Ｃを覆うような外径である。したがって、宝石保持具４０を使用する場合には、ダイアモンド１の鋭角なキューレット１Ｃが露出していても。キューレット１Ｃが人肌や衣服に直接接触することを防止することができる。
【００３３】
一方、宝石保持具４０に使用されるネックレス４８の断面形状も円形ではなく、例えば、略楕円形のオメガネックレス、あるいは扁平形のスネークネックレスなどを使用する。このことにより、輪環４７にネックレス４８が挿通された状態においては、宝石保持具４０は固定され、前後方向に揺動しない。したがって、輪環４７の形状、取り付け位置と相俟って、キューレット１Ｃが露出していても、人肌や衣服に直接接触して傷つけることを完全に防止できる。
【００３４】
このような宝石保持具４０とネックレス４８を組み合わせて使用することにより、宝飾品全体の著しい軽量化を図ることができ、コスト面に優れかつシンプルなデザインが意匠的にも優れた宝飾品を提供することができる。
【００３５】
もちろん、宝石保持具４０によれば、前記実施例同様に、ダイアモンド１のパビリオン１ｂを覆う部分が少なく、パビリオン１ｂを露出する表面積が大きくなる。このことで、ダイアモンド１には、クラウン１ａ側からだけでなく、パビリオン１ｂ側からの外光が十分に入射し、強い輝きを発揮する。
【００３６】
本発明は、上記実施の形態１から３に限定されず、種々変更して実施することが可能である。例えば、上記実施の形態１から３においては、カット宝石がダイアモンド１である場合のみについて説明しているが、本発明は、例えば、エメラルド、ルビー、サファイアなどその他の宝石、人工ダイアモンド１などの合成石、イミテーション石にも適用することができるのはもちろんである。
【００３７】
また、上記実施の形態１から３においては、宝飾品がペンダント２０である場合のみについて説明しているが、本発明は宝飾品が指輪、イアリング、ブローチなどの他の宝飾品にも適用することができるのはもちろんである。
【図面の簡単な説明】
【００３８】
【図１】本発明に係る第１の宝石保持具１０を示すもので、（ａ）はその側面図、（ｂ）はその底面図である。
【図２】第１の宝石保持具２０を取り付けたペンダント２０を示すもので、（ａ）はその側面図、（ｂ）は、実際に使用した状態を示す図である。
【図３】本発明の実施の形態２に係る宝石保持具３０を示す図であり、（ａ）はその側面図であり、（ｂ）はその底面図である。
【図４】本発明の実施の形態３に係る宝石保持具４０を示す図であり、（ａ）はその側面図であり、（ｂ）はその底面図である。
【図５】従来のカット宝石の宝石保持具を示す図である。
【符号の説明】
【００３９】
１  ダイアモンド
１ａ  クラウン
１ｂ  パビリオン
１ｃ  キューレット
１ｄ  ガードル
１０  宝石保持具
１２  環状部材
１４  爪部
１６  辺部
２０  ペンダント
２１  台座
２２  吊り下げ部
２２ａ  穴
２２ｂ  穴
２４  凹部
２５  チェーン
３０  宝石保持具
３２  略逆三角形状部材
３４  爪部
３５  中心部
３６  辺部
４０  宝石保持具
４７  輪環
４８  ネックレス
Ａ  環状部材外径
Ｂ  ダイアモンド外径
Ｘ  入射光
Ｙ  入射光
【図１】
2005261862.tif 000003
【図２】
2005261862.tif 000004
【図３】
2005261862.tif 000005
【図４】
2005261862.tif 000006
【図５】
2005261862.tif 000007
【図６】
2005261862.tif 000008
【手続補正書】
【提出日】平成16年4月26日(2004.4.26)
【手続補正１】
【補正対象書類名】明細書
【補正対象項目名】００３８
【補正方法】変更
【補正の内容】
【００３８】
【図１】本発明に係る第１の宝石保持具１０を示すもので、（ａ）はその側面図、（ｂ）はその底面図である。
【図２】第１の宝石保持具２０を取り付けたペンダント２０を示すもので、（ａ）はその側面図、（ｂ）は、実際に使用した状態を示す図である。
【図３】本発明の実施の形態２に係る宝石保持具３０を示す図であり、（ａ）はその側面図であり、（ｂ）はその底面図である。
【図４】本発明の実施の形態３に係る宝石保持具４０を示す図であり、（ａ）はその側面図であり、（ｂ）はその底面図である。
【図５】本発明の第３の宝石保持具４０を取り付けたネックレス４８の使用状態を示す図である。
【図６】従来のカット宝石の保持具を示す図である。